(57)【要約】【課題】記録装置を著しく大型化することなく、開口部から一時的に突出する被記録材のための十分なスペースを確実に確保することが可能な記録装置を提供する。【解決手段】開閉扉１１の開口部１２には、突起部２が配設されている。突起部２は、軸２２を揺動軸として揺動可能に軸支された状態で開閉扉１１に配設されている。突起部２は、内側に空間部２１を有しており、開口部１２から突出したトレイＴＲの先端が空間部２２内に進入するようになっている。突起部２は、トレイＴＲの先端が空間部２２内に突出していない状態で、開閉扉１１の開閉にともなって揺動し、開閉扉１１に設けられている収容部２３に収容される位置まで揺動して開閉扉１１と略一体なり、開閉扉１１を略全開まで開くことができる。【選択図】　　　　図８
2004082653.tif 000002
【特許請求の範囲】
【請求項１】
被記録材の一部が開口部から記録装置本体の外側に一時的に突出した状態となる前記被記録材の搬送経路を備えた記録装置であって、
前記開口部から突出する前記被記録材の一部が占有する空間を確保するための突起部を備えている、ことを特徴とした記録装置。
【請求項２】
請求項１において、前記突起部は、前記開口部に配設されており、前記開口部から一時的に突出する前記被記録材の一部は、前記突起部の内部に形成された空間に突出する構成を成している、ことを特徴とした記録装置。
【請求項３】
請求項１又は２において、前記突起部は、メンテナンス用の開閉扉に配設されており、前記開閉扉が開く方向と反対方向に揺動可能に前記開閉扉に軸支されている、ことを特徴とした記録装置。
【請求項４】
請求項３において、前記突起部が揺動して前記開閉扉に形成されている凹部に収容される構成を成している、ことを特徴とした記録装置。
【請求項５】
請求項１〜４のいずれか１項において、開いた状態の前記開閉扉が占有するスペースは、前記突起部の突起スペース以下となっている、ことを特徴とした記録装置。
【請求項６】
請求項１〜５のいずれか１項において、記録装置本体は、略長方体形状を成しており、前記開口部及び前記突起部は、記録装置本体の側面に配設されている、ことを特徴とした記録装置。
【発明の詳細な説明】
【０００１】
【発明の属する技術分野】
本願発明は、被記録材の一部が開口部から記録装置本体の外側に一時的に突出した状態となる被記録材の搬送経路を備えた記録装置に関する。
【０００２】
【従来の技術】
被記録材の一部が開口部から記録装置本体の外側に一時的に突出した状態となる被記録材の搬送経路を備えた記録装置としては、例えば、ＣＤ−ＲやＤＶＤ等の円盤状の光記録ディスクをトレイに装着し、そのトレイを被記録材として搬送して円盤状の光記録ディスクのラベル面に記録を行うものが挙げられる。周知の通りＣＤ−ＲやＤＶＤ等の光記録ディスクは、湾曲させることがほとんど許容されないものであり、無理に湾曲させると折れ曲がったり、割れてしまったりして光記録ディスクとしての機能を果たさなくなってしまう。したがって、このような円盤状の光記録ディスクを被記録材として記録を行うためには、被記録材の搬送経路を湾曲していない一直線の搬送経路とする必要がある。
【０００３】
一般的な記録装置において、普通紙等の記録紙の搬送経路は、記録装置をより小型化するためや操作性を向上させる目的で、給紙経路が湾曲しているものが多い。そのため、上述した円盤状の光記録ディスクのラベル面に記録する機能を備えた記録装置は、普通紙等の記録紙の給紙経路とは別の湾曲していない一直線の搬送経路と、その搬送経路から被記録材を給送する手段とを備えている。
【０００４】
【発明が解決しようとする課題】
しかしながら、記録装置を一直線の搬送経路を全て内包した構造にしてしまうと、記録装置本体が著しく大型化してしまうため、記録装置本体の大きさはそのままで、一直線の搬送経路に開口部を設け、搬送される被記録材の一部が開口場から一時的に突出する構造になっているのが一般的である。そのため、開口部が設けられている側に、被記録材が一時的に突出するための十分な空間をもって記録装置が設置されていないと、その被記録材への記録が実行できなかったり、被記録材を破損してしまったりする虞があった。
【０００５】
本願発明は、このような状況に鑑み成されたものであり、その課題は、記録装置を著しく大型化することなく、開口部から一時的に突出する被記録材のための十分なスペースを確実に確保することが可能な記録装置を提供することにある。
【０００６】
【課題を解決するための手段】
上記課題を達成するため、本願発明の第１の態様は、被記録材の一部が開口部から記録装置本体の外側に一時的に突出した状態となる前記被記録材の搬送経路を備えた記録装置であって、前記開口部から突出する前記被記録材の一部が占有する空間を確保するための突起部を備えている、ことを特徴とした記録装置である。
【０００７】
このように、開口部から突出する被記録材の一部が占有する空間を確保するための突起部が設けられているので、開口部から被記録材の一部が突出するのに必要な空間を確保することができる。つまり、突起部によって、記録装置を設置する際に開口部が設けられている側に必要な空間が必然的に確保されることになり、開口部から突出した被記録材の一部が壁や隣接する他の機器等に当たってしまうことを防止することができる。したがって、記録装置を著しく大型化することなく、開口部から一時的に突出する被記録材のための十分なスペースを確実に確保することができるという作用効果が得られる。
【０００８】
本願発明の第２の態様は、前述した第１の態様において、前記突起部は、前記開口部に配設されており、前記開口部から一時的に突出する前記被記録材の一部は、前記突起部の内部に形成された空間に突出する構成を成している、ことを特徴とした記録装置である。
【０００９】
このように、突起部が開口部に配設されており、被記録材の一部が開口部から突起部の内部に形成された空間に突出するので、開口部に一部突出した被記録材が突起部によって保護され、被記録材に何らかの外力が作用することを防止することができるという作用効果が得られる。また、開口部が突起部の内部に形成された空間に面しているので、開口部から記録装置内部に埃等が侵入することを防止することができるという作用効果も得られる。
【００１０】
本願発明の第３の態様は、前述した第１の態様又は第２の態様において、前記突起部は、メンテナンス用の開閉扉に配設されており、前記開閉扉が開く方向と反対方向に揺動可能に前記開閉扉に軸支されている、ことを特徴とした記録装置である。
このように、メンテナンス用の開閉扉に配設された突起部は、開閉扉が開く方向と逆方向に揺動可能に軸支されているので、メンテナンス用の開閉扉を開く際に突起部が邪魔になって開閉扉の開き角度が狭くなってしまうことを防止することができるという作用効果が得られる。
【００１１】
本願発明の第４の態様は、前述した第３の態様において、前記突起部が揺動して前記開閉扉に形成されている凹部に収容される構成を成している、ことを特徴とした記録装置である。
このように、突起部が揺動して開閉扉に形成されている凹部に収容されるので、開閉扉を開く際に、開閉扉から突出した部分を無くすことができ、それによって、開閉扉を略最大開き角度まで開くことができるという作用効果が得られる。
【００１２】
本願発明の第５の態様は、前述した第１の態様〜第４の態様のいずれかにおいて、開いた状態の前記開閉扉が占有するスペースは、前記突起部の突起スペース以下となっている、ことを特徴とした記録装置である。
このように、開いた状態の開閉扉が占有するスペースが突起部の突起スペース以下となっているので、開閉扉を開く際に壁や隣接する他の機器等に開閉扉が当たってしまい、開閉扉を開ききることができなくなってしまうことを防止することができるという作用効果が得られる。
【００１３】
本願発明の第６の態様は、前述した第１の態様〜第５の態様のいずれかにおいて、記録装置本体は、略長方体形状を成しており、前記開口部及び前記突起部は、記録装置本体の側面に配設されている、ことを特徴とした記録装置である。
このように、記録装置本体が略長方体形状を成しており、開口部及び突起部は、とかく壁や他の機器等との間隔を狭くされがちな記録装置本体の側面に配設されているので、このような記録装置においては、特に効果的に前述した第１の態様〜第５の態様のいずれかに記載の発明による作用効果を得ることができるものである。
【００１４】
【発明の実施の形態】
以下、本願発明の一実施の形態を図面に基づいて説明する。
まず、本願発明に係る「記録装置」としてのインクジェット式記録装置について説明する。図１は、本願発明に係るインクジェット式記録装置の概略の正面図であり、図２は、本願発明に係るインクジェット式記録装置の上蓋を外した状態の概略の平面図である。また、図３は、インクジェット式記録装置の一部を拡大して示した正面図である。
【００１５】
インクジェット式記録装置５０には、記録紙Ｐに記録を実行する記録手段として、主走査方向Ｘに往復動可能に軸支されたキャリッジ６１が設けられている。
キャリッジ６１には、記録紙Ｐにインクを噴射して記録を行う記録ヘッド６２と、カラーインクカートリッジ６ａ及びブラックインクカートリッジ６ｂとが搭載されている。記録ヘッド６２と対向して、記録ヘッド６２のヘッド面と記録紙Ｐとのギャップを規定するプラテン５が設けられている。そして、キャリッジ６１とプラテン５の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００１６】
給紙カセット５１は、前面から符号Ａで示した方向に引き出すことが可能な構成になっている。引き出した給紙カセット５１に記録紙Ｐを積重してから給紙カセット５１を押し入れることでインクジェット式記録装置５０に記録紙Ｐをセットすることができる。給紙カセット５１の底部には、給紙カセット５１に積重された記録紙Ｐを給紙ローラ５２の周面に付勢するためのホッパー５１１が配設されている。給紙ローラ５２は、モータ等の回転駆動力源からの回転が伝達されて回転し、給紙ローラ５２に付勢された給紙カセット５１内の記録紙Ｐを符号Ｂで示した方向に引っ張り出す。給紙カセット５１から引っ張り出された記録紙Ｐは、給紙経路に配設された従動ローラ５２２及び従動ローラ５２３と給紙ローラ５２との間に挟持された状態で、さらに給紙ローラ５２が回転することによって、給紙ローラ５２の周面に沿って形成されている給紙経路を介して反転され、記録紙の先端が搬送駆動ローラ５３へ到達するまで副走査方向Ｙへと送られる。
【００１７】
記録紙Ｐを副走査方向Ｙに搬送する記録紙搬送手段として、搬送駆動ローラ５３と搬送従動ローラ５４が設けられている。搬送駆動ローラ５３は、ステッピング・モータ等の回転駆動力により回転制御され、搬送駆動ローラ５３の回転により、記録紙Ｐは副走査方向Ｙに搬送される。搬送従動ローラ５４は、複数設けられており、それぞれ個々に搬送従動ローラホルダ５４１に軸支された状態で搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向Ｙに搬送される。
【００１８】
一方、記録された記録紙Ｐを排出カセット７１へ排出する手段として、排出駆動ローラ５５と排出従動ローラ５６が設けられている。排出駆動ローラ５５は、ステッピング・モータ等の回転駆動力により回転制御され、排出駆動ローラ５５の回転により、記録紙Ｐは副走査方向Ｙに排出される。排出従動ローラ５６は、周囲に複数の歯を有し、各歯の先端が記録紙Ｐの記録面に点接触するように鋭角的に尖っている歯付きローラになっている。複数の排出従動ローラ５６は、排出パネル７に軸支された状態で、それぞれ個々に排出駆動ローラ５５に付勢され、記録紙Ｐが排出駆動ローラ５５の回転により排出される際に記録紙Ｐに接して記録紙Ｐの排出に従動して回転する。排出カセット７１は、給紙カセット５１と同様に前面に引き出す（符号Ａで示した方向）ことが可能に配設されており、排出カセット７１に排出された記録後の記録紙Ｐを取り出すことができるようになっている。
【００１９】
インクジェット式記録装置５０の背面側（図３においては、向かって左側）には、いわゆる紙ジャム等で記録紙Ｐが詰まった場合等に、インクジェット式記録装置５０の内部にアクセスするためのメンテナンス用の開閉扉１１が設けられており、開閉扉１１は、開閉操作部１３を操作することで開閉可能な構成を成している。
【００２０】
図４は、開閉操作部１３近傍を拡大して示した斜視図である。操作部１３は、第１操作部材１３１と第２操作部材１３２とを有している。第１操作部材１３１は、摺動部材１３１ａと伝達部材１３１ｂとが一体に連結されており、第２操作部材１３２には、摺動部材１３２ａと伝達部材１３２ｂとが一体に連結されている。開閉操作部１３は、第１操作部材１３１と第２操作部材１３２とを、それぞれ外側から内側へ符号Ｃで示した方向に摺動させることで伝達部材１３１ｂ及び伝達部材１３２ｂがそれぞれ符号Ｄで示した方向に移動し、それによって、開閉扉１１が開閉可能になる構成を成している。
【００２１】
図５は、トレイＴＲが搬送駆動ローラ５３と搬送従動ローラ５４との間に挿入された状態を示した正面図である。
インクジェット式記録装置５０は、光記録ディスクＤＶＤを装着したトレイＴＲを記録紙Ｐと同様に搬送して、光記録ディスクＤＶＤのラベル面に記録を実行する機能を有している。光記録ディスクＤＶＤを装着したトレイＴＲは、搬送駆動ローラ５３と搬送従動ローラ５４との間に、排出トレイ７１側から符号Ｅで示した方向に挿入される。開閉扉１１には、トレイＴＲの搬送経路と交差する部分に開口部１２が設けられており、光記録ディスクＤＶＤの中心点を検出するため、あるいは、光記録ディスクＤＶＤのラベル面への記録するために、トレイＴＲを搬送駆動ローラ５３と搬送従動ローラ５４とで搬送している間にトレイＴＲの先端の一部が開口部１２から突出するようになっている。また、トレイＴＲの搬送経路には、揺動可能に軸支されたロックレバー１４が配設されている。
【００２２】
図６は、開閉操作部１３近傍を拡大して示した斜視図であり、ロックレバー１４によって開閉操作部１３がロックされた状態を示したものである。
ロックレバー１４は、図示の如く略Ｌ型の形状を成した部材で、軸１４１を揺動軸として揺動可能に軸支されている。ロックレバー１４は、図３及び図４に示した定位の揺動位置から、開口部１２へ突出しようとするトレイＴＲの先端に端部１４２が押されることによって符号Ｆで示した方向に揺動する。そして、トレイＴＲの先端に押されて揺動したロックレバー１４のロック部１４３が、開閉操作部１３の摺動部材１３１ａと摺動部材１３２ａとの間に移動する。開閉操作部１３は、摺動部材１３１ａ及び摺動部材１３２ａがロックレバー１４のロック部１４３に係止されることによって操作できなくなる。したがって、開閉扉１１の開閉動作が行えなくなり、開閉扉１１がロックされた状態となる。
【００２３】
このように、トレイＴＲの一部が開口部１２から突出する手前で開閉扉１１の開閉操作部１３をロックレバー１４によってロックして、開閉扉１１を開閉操作できないようにするので、開口部１２からトレイＴＲの一部が突出した状態で、誤って開閉扉１１を開いてしまうことを防止することができる。
【００２４】
図７は、インクジェット式記録装置５０の断面を示した正面図であり、図８は、図７において、トレイＴＲの先端近傍が開口部１２から突出した状態を示したものである。
開閉扉１１の開口部１２には、突起部２が配設されている。突起部２は、軸２２を揺動軸として揺動可能に軸支された状態で開閉扉１１に配設されている。突起部２は、内側に空間部２１を有しており、図８に示した如く、開口部１２から突出したトレイＴＲの先端が空間部２２内に進入するようになっている。
【００２５】
このように、開口部１２に突起部１２が配設されており、開口部１２から突出したトレイの先端が空間部２２内に進入するようになっているので、開口部１２から突出するトレイＴＲの一部が占有する空間を、インクジェット式記録装置５０の開口部１２が設けられている側面側に確保することができる。したがって、突起部２によって、インクジェット式記録装置５０を著しく大型化することなく、開口部１２から一時的に突出するトレイＴＲのための十分なスペースを確実に確保することができる。
【００２６】
図９は、インクジェット式記録装置５０の断面を示した正面図であり、開閉扉１１を半分程度開いた状態を示したものである。
開閉扉１１は、トレイＴＲが開口部１２から突出していない状態で前述した開閉操作部１３を操作することによって、軸１１ａを回動軸として符号Ｇで示した方向に回動して開くように配設されている。そして、開閉扉１１を半分程度まで開いた時点で、突起部２がインクジェット式記録装置５０の設置されている面に当接した状態となる。前述したように、突起部２は、軸２２を揺動軸として揺動可能に開閉扉１１に軸支されているので、この状態からさらに開閉扉１１を符号Ｇで示した方向に開くことにともなって、突起部２は、開閉扉１１の開閉方向と反対方向、つまり符号Ｈで示した方向に揺動することになる。
【００２７】
図１０は、インクジェット式記録装置５０の断面を示した正面図であり、開閉扉１１を全開まで開いた状態を示したものである。
開閉扉１１の開閉にともなって揺動した突起部２は、開閉扉１１に設けられている収容部２３に収容される位置まで揺動して開閉扉１１と略一体なり、開閉扉１１を略全開まで開くことができ、符号Ｊで示したように広いメンテナンス用の作業空間をインクジェット式記録装置５０の背面部に構成することができる。また、当該実施の形態に示したように、給紙経路を構成している従動ローラ５２３等の部材の一部を開閉扉に配設することによって、開閉扉１１を開いた際に図示の如く給紙ローラ５２に容易にアクセスできる状態にすることができる。
【００２８】
また、他の実施の形態としては、上述した一実施の形態において、開いた状態の開閉扉１１が占有するスペースを突起部２の突起スペース以下としたものが挙げられる。開いた状態の開閉扉１１が占有するスペースが突起部２の突起スペース以下となっているので、開閉扉１１を開く際に壁や隣接する他の機器等に開閉扉１１が当たってしまい、開閉扉１１を開ききることができなくなってしまうことを防止することができる。
【００２９】
尚、本願発明は上記実施例に限定されることなく、特許請求の範囲に記載した発明の範囲内で、種々の変形が可能であり、それらも本願発明の範囲内に含まれるものであることは言うまでもない。
【図面の簡単な説明】
【図１】本願発明に係るインクジェット式記録装置の概略の正面図。
【図２】本願発明に係るインクジェット式記録装置の上蓋を外した状態の概略の平面図。
【図３】インクジェット式記録装置の一部を拡大して示した正面図。
【図４】開閉操作部近傍を拡大して示した斜視図。
【図５】トレイが搬送駆動ローラと搬送従動ローラとの間に挿入された状態を示した正面図。
【図６】開閉操作部近傍を拡大して示した斜視図であり、ロックレバーによって開閉操作部がロックされた状態を示したもの。
【図７】インクジェット式記録装置の断面を示した正面図。
【図８】インクジェット式記録装置の断面を示した正面図であり、トレイの先端近傍が開口部から突出した状態を示したもの。
【図９】インクジェット式記録装置の断面を示した正面図であり、開閉扉を半分程度開いた状態を示したもの。
【図１０】インクジェット式記録装置の断面を示した正面図であり、開閉扉を全開まで開いた状態を示したもの。
【符号の説明】
２　突起部、５　プラテン、１１　開閉扉、１２　開口部、１３　開閉操作部、１４　ロックレバー、５０　インクジェット式記録装置、５１　給紙カセット、５２　給紙ローラ、５３　搬送駆動ローラ、５４　搬送従動ローラ、５５　排出駆動ローラ、５６　排出従動ローラ、６１　キャリッジ、６２　記録ヘッド、７１　排出カセット
【図１】
2004082653.tif 000003
【図２】
2004082653.tif 000004
【図３】
2004082653.tif 000005
【図４】
2004082653.tif 000006
【図５】
2004082653.tif 000007
【図６】
2004082653.tif 000008
【図７】
2004082653.tif 000009
【図８】
2004082653.tif 000010
【図９】
2004082653.tif 000011
【図１０】
2004082653.tif 000012